(57)【特許請求の範囲】
【請求項１】
コネクタハウジングには、端子金具を後方から挿入可能な端子収容部と、端子収容部を取り囲むフード部とが備えられ、端子収容部には、端子金具を抜け止め状態に保持するためのリテーナが取り付けられるリテーナ取付孔が設けられ、このリテーナは、前記フード部に開設されたリテーナ挿通孔を通して側方から取付可能とされ、さらにこのリテーナには、フード部内に前方から挿入した治具によって取外方向へ押圧操作可能な操作部が前記端子収容部の外面と対向するように前方へ突出して設けられているものであって、
前記端子収容部における前記操作部と対応する外面には、前記リテーナ取付孔へ向かって内方へ傾斜する傾斜面が設けられており、前記端子金具の取り外し時には、前記治具を前記傾斜面に当接させた斜め姿勢から、傾斜面との当接部分を支点として前記リテーナの取外方向と反対方向へ傾動操作することで操作部を押圧してリテーナを取外方向へ移動させるようにしており、
前記端子収容部には、前記端子金具を前止まり状態に支持する前止まり壁を有する保持部材が前方から組み付けられるとともに、前記保持部材には、前方から挿入される前記治具を前記傾斜面に対して治具の挿入方向と交差する方向について位置決め可能な位置決め凹部が設けられ、
さらには、前記保持部材が前記コネクタハウジングに対して組み付けられた状態で互いの前端面が面一状となり、前記位置決め凹部は、前記保持部材を前方へ開口させ且つ前記操作部を前方外部へ臨ませる形態で形成されていることを特徴とするコネクタ。
【請求項２】
前記傾斜面は、前記操作部よりも前方位置から設けられていることを特徴とする請求項１記載のコネクタ。
【発明の詳細な説明】
【０００１】
【発明の属する技術分野】
本発明は、リテーナを備えたコネクタに関する。
【０００２】
【従来の技術】
従来、いわゆるサイドリテーナを備えたコネクタの一例として特開２０００−１７３７０９公報に記載されたものが知られている。このものは、図２３に示すように、ハウジング１が後方から端子金具２を挿入可能なキャビティ３を有する端子収容部４と、その周りを取り囲むフード部５とから構成されるとともに、フード部５の側面には、端子収容部４に対して側方から取り付けられるリテーナ６を挿通するためのリテーナ挿通孔が開設されている。リテーナ６は、各キャビティ３から退避して端子金具２の挿抜を許容する仮係止位置と、各キャビティ３内に進出して端子金具２に対して係止される本係止位置との間を幅方向に沿って移動可能とされている。
一方、メンテナンスなどの事情により端子金具２を取り外す場合には、フード部５内に前方から治具を挿入し、その治具によってリテーナ６に突設された操作部７を押圧操作してリテーナ６を本係止位置から仮係止位置へと移動させることで、端子金具２に対する係止状態を解除しつつ端子金具２を引き抜くようにしている。
【０００３】
【発明が解決しようとする課題】
ところが、リテーナ６を移動させるには、治具をフード部５内に挿入して操作部７に当接させつつ幅方向に沿って操作するのであるが、必要とされる操作力が大きくなり勝ちであり、また治具を操作部７に対して位置合わせし難いということもあって操作性が芳しくなかった。
本発明は上記のような事情に基づいて完成されたものであって、治具によるリテーナの移動操作性を向上させることを目的とする。
【０００４】
【課題を解決するための手段】
上記の目的を達成するための手段として、請求項１の発明は、コネクタハウジングには、端子金具を後方から挿入可能な端子収容部と、端子収容部を取り囲むフード部とが備えられ、端子収容部には、端子金具を抜け止め状態に保持するためのリテーナが取り付けられるリテーナ取付孔が設けられ、このリテーナは、前記フード部に開設されたリテーナ挿通孔を通して側方から取付可能とされ、さらにこのリテーナには、フード部内に前方から挿入した治具によって取外方向へ押圧操作可能な操作部が前記端子収容部の外面と対向するように前方へ突出して設けられているものであって、前記端子収容部における前記操作部と対応する外面には、前記リテーナ取付孔へ向かって内方へ傾斜する傾斜面が設けられており、前記端子金具の取り外し時には、前記治具を前記傾斜面に当接させた斜め姿勢から、傾斜面との当接部分を支点として前記リテーナの取外方向と反対方向へ傾動操作することで操作部を押圧してリテーナを取外方向へ移動させるようにしており、前記端子収容部には、前記端子金具を前止まり状態に支持する前止まり壁を有する保持部材が前方から組み付けられるとともに、前記保持部材には、前方から挿入される前記治具を前記傾斜面に対して治具の挿入方向と交差する方向について位置決め可能な位置決め凹部が設けられ、さらには、前記保持部材が前記コネクタハウジングに対して組み付けられた状態で互いの前端面が面一状となり、前記位置決め凹部は、前記保持部材を前方へ開口させ且つ前記操作部を前方外部へ臨ませる形態で形成されている構成としたところに特徴を有する。
【０００５】
請求項２の発明は、請求項１に記載のものにおいて、前記傾斜面は、前記操作部よりも前方位置から設けられているところに特徴を有する。
【０００６】
【発明の作用及び効果】
＜請求項１の発明＞
端子収容部内に挿入された端子金具は、リテーナ挿通孔を通して端子収容部に取り付けられたリテーナによって抜け止め状態に保持される。この端子金具を取り外すには、フード部内に前方から治具を挿入して、その治具を傾斜面に当接させつつ斜め姿勢とする。そして、治具を傾斜面との当接部分を支点としてリテーナの取外方向と反対方向へ傾動操作して操作部を押圧することで、てこ作用が発揮されてリテーナが取外方向へ移動される。端子金具の抜け止め状態が解除されたら、端子金具を抜き取るようにする。
このようにてこ作用を利用してリテーナを移動させているから、治具に付与すべき操作力を低く抑えることができる。しかも、斜め姿勢の治具を傾斜面を支点として傾動操作することで操作部を押圧するようにしているから、例えば真っ直ぐな姿勢の治具を端子収容部の前端部を支点として傾動操作した場合と比較して支点と作用点との距離を短くすることができ、治具に付与すべき操作力を一層低く抑えることができる。これにより、リテーナの移動操作性を向上させることができる。
保持部材を端子収容部に組み付けた状態で端子金具を挿入すると、端子金具は前止まり壁によって前止まり状態に支持される。端子金具を取り外す際には、前方から治具を位置決め凹部に沿って挿入し、その後方の傾斜面に当接させてから傾動操作して操作部を押圧する。
治具は、傾斜面に当接する前の段階で位置決め凹部によって治具の挿入方向と交差する方向について位置決めされる。従って、治具を傾斜面に確実に当接させることができ、もってリテーナの移動操作性を一層向上させることができる。
【０００７】
＜請求項２の発明＞
治具を挿入する際には、先に傾斜面に治具を当接させて斜め姿勢へと案内しつつ操作部との間に挿入することができるから、操作性が良好となる。
【０００８】
【発明の実施の形態】
本発明の一実施形態を図１ないし図２１によって説明する。この実施形態では、防水機能を備えた雌コネクタを示す。この雌コネクタは、大まかには、図３に示すように、端子金具１３を収容可能なハウジング本体１０に対して、前方からは防水用のゴムリング３０と端子金具１３を支持するための保持部材５０とが組み付けられ、側方からは端子金具１３に係止してその抜け止めを図るためのリテーナ４０が組み付けられて構成される。なお、以下では、上下方向については、図１，２，４を基準とし、前後方向については特に断らない限りハウジング本体１０に対する端子金具１３の挿入方向を前方として説明する。
【０００９】
ハウジング本体１０は、合成樹脂製とされ、図３及び図４に示すように、後方から端子金具１３が挿入されるキャビティ１９を幅方向に５室並べて備えた端子収容部１１と、この端子収容部１１を取り囲むフード部１２とを備えている。端子金具１３は、箱形の接続部１４と、電線Ｗの端末に圧着接続されるバレル部１５とを前後に備えており、電線Ｗの被覆端部に嵌着されたゴム栓１６がバレル部１５によってかしめ固定されている。キャビティ１９は、前半部分が端子金具１３の接続部１４に合わせて略角形に形成される一方、後半部分がゴム栓１６に合わせて円形に形成されることでゴム栓１６がキャビティ１９の内周面に密着してキャビティ１９内を防水できるようになっている。各キャビティ１９の前部上面側からは片持ち状のランス２０が端子金具１３の挿入方向に沿って延出して設けられていて、このランス２０はキャビティ１９内に挿入される端子金具１３によって上方の撓み空間２１内へ一旦弾性変形された後、端子金具１３が正規深さに至ると弾性復帰して接続部１４の上面に突設された被係止部１７に係止されるようになっている。このとき端子金具１３は、その前端部を端子収容部１１から前方へ突き出した状態で収容される。なお、この端子金具１３の突出部分（前端部）については後に詳しく説明する保持部材５０によって支持される（図９参照）。
【００１０】
隣り合う各キャビティ１９の前半部分を仕切る隔壁２２には、ランス２０の根元位置から前方へ開放する切欠部２３がそれぞれ設けられている。この切欠部２３は、図１に示すように、隔壁２２の上部をその高さ寸法の半分強にわたって（隔壁２２の上端位置からランス２０の下端部よりも下方位置まで）開放して形成されている。各切欠部２３の奥端面からは、ランス２０の図１の左側面に対して全長にわたって連結される解除操作片２４が突設されており、この解除操作片２４を治具などによって押圧操作することで、ランス２０を強制的に撓み変形させて、端子金具１３に対するランス２０の係止状態を解除できるようになっている。この解除操作片２４の幅寸法は、切欠部２３の幅寸法の半分程度となっている。切欠部２３のうち解除操作片２４とその図１の左隣のランス２０との間の空間には、後に詳しく説明する保持部材５０の仕切り壁６０が前方から挿入可能とされている。切欠部２３の上下面には、仕切り壁６０が嵌合可能とされる略Ｖ字型の位置決め溝２５が凹んで形成され、この位置決め溝２５は仕切り壁６０の挿入方向に沿って真っ直ぐに延出して形成されている。また、上記隔壁２２の幅寸法は、キャビティ１９の前半部分の幅寸法よりも僅かに小さい程度の大きさとされている。
【００１１】
端子収容部１１におけるランス２０のやや後方位置には、図３及び図４に示すように、幅方向に沿って端子収容部１１を貫通するリテーナ取付孔２６が各キャビティ１９に連通して形成されている。このリテーナ取付孔２６内には、キャビティ１９内に突出して端子金具１３に係止されるリテーナ４０が側方から取付可能とされている。リテーナ取付孔２６の孔縁のうち、リテーナ４０の差込方向奥側には、図５に示すように、リテーナ４０を保持するための保持凸部２７が前後に一対対向して設けられている。また、保持凸部２７よりもリテーナ４０の差込方向奥側には、保持凸部２７の奥端面を成形するための型抜き孔２８が前方へ開放して形成されている。端子収容部１１の上下面には、図４に示すように、保持部材５０を保持するための一対の保持溝部２９が幅方向に沿って側方へ開放して形成されている。また、端子収容部１１の前端面には、保持部材５０の取り付け動作を案内するためのテーパ面が上下に一対ずつ設けられている。端子収容部１１のうちリテーナ挿通孔３３に臨む外側面、言い換えるとリテーナ４０の取外操作片部４４と対向（対応）する外側面のうち、リテーナ取付孔２６の前側には、図２及び図３に示すように、リテーナ４０の取外方向（差込方向の反対方向であって図３では右方）に対して鋭角をなす傾斜面３５が形成されている。別言すると、この傾斜面３５は、リテーナ取付孔２６へ向かって内方へ傾斜するように形成されている。この傾斜面３５は、リテーナ取付孔２６よりも高さ寸法が大きく設定されるとともに前後２段階の傾斜角度を有しており、前半側が比較的緩やかな勾配の緩斜面部３５ａとされるのに対し、後半側が比較的急な勾配の急斜面部３５ｂとされている。この傾斜面３５は、リテーナ４０を取り付けた状態では、図１０及び図１５に示すように、急斜面部３５ｂの全域と緩斜面部３５ａの後部とがリテーナ４０の取外操作片部４４と前後方向について重なるよう配され、緩斜面部３５ａの前部がリテーナ４０の取外操作片部４４よりも前方位置に配されている。そして、この傾斜面３５には、リテーナ４０を取外方向へ移動させる際にフード部１２内に前方から挿入される治具Ｊが当接可能とされる（図１９）。この傾斜面３５に当接した状態で治具Ｊは、リテーナ４０の取外方向側に傾いた斜め姿勢とされるようになっている。
【００１２】
フード部１２は、端子収容部１１の後部周面から径方向に張り出す連結部分を介して端子収容部１１と連結されるとともに、前方へ開放する略角筒状に形成されている。このフード部１２と端子収容部１１との間には、前方から相手側の雄コネクタ（図示せず）が嵌合可能とされており、端子収容部１１の外周面に嵌着されるゴムリング３０が端子収容部１１と上記雄コネクタとの間に狭まれた状態で両者に密着することで、両コネクタ間の防水が図られるようになっている。フード部１２の上部における幅方向の中央には、雄コネクタを嵌合状態に保持するためのロックアーム３１が設けられている。ロックアーム３１は、その後端部が一対の支持アーム３２によって端子収容部１１に連結されるとともに、図５に示すように、両側縁部がフード部１２と部分的に連結されることで支持されて上下方向に弾性変形可能とされている。フード部１２における図５の右側部には、リテーナ４０を挿通可能なリテーナ挿通孔３３が側方に開口して設けられている。図２に示すように、このリテーナ挿通孔３３を介して端子収容部１１のリテーナ取付孔２６と、保持溝部２９と、傾斜面３５とが側方外部へ露出しており、これらリテーナ挿通孔３３、リテーナ取付孔２６、保持溝部２９及び傾斜面３５は、ハウジング本体１０の成形時に同じ金型によって成形されている。また、フード部１２の両側部及び下部は、図１に示すように、それぞれ部分的に外方へ膨出して形成されることで、雄コネクタの嵌合動作を案内するためのガイド溝部３４が３つ設けられている。
【００１３】
リテーナ４０は、合成樹脂製とされ、リテーナ取付孔２６内に差し込まれる細長い板状の基部４１を備えるとともに、基部４１の下面側には、各キャビティ１９内に突入して端子金具１３に係止可能な係止突部４２が５つ、キャビティ１９間のピッチに合わせて並んで設けられている。基部４１のうち、端子収容部１１に対する差込方向手前側端部の上面には、リテーナ４０の取り付け時に側方から治具によって押圧操作可能な取付操作突部４３が設けられている。基部４１の差込方向手前側端部の前面には、取り外し時に前方から治具Ｊによって押圧操作が可能な薄肉状の取外操作片部４４が前方へ突設されている。この取外操作片部４４は、リテーナ４０が端子収容部１１に取り付けられた状態では、図１０及び図１５に示すように、端子収容部１１の図示右側外側面及び傾斜面３５と対向して配されるようになっている。また、リテーナ４０の差込方向手前側端部の側面は、後記する保持部材５０の外形に合わせて緩やかな弧状に形成されている。
【００１４】
基部４１における差込方向奥側部分の前後面には、図５に示すように、奥側から順に第１保持凹部４６と第２保持凹部４７とが一対ずつ並んで設けられている。そして、これら第１保持凹部４６または第２保持凹部４７がリテーナ取付孔２６内の保持凸部２７に係止されることで、リテーナ４０は端子収容部１１に対して仮係止位置と本係止位置との２位置に保持されるようになっている。
【００１５】
詳しくは、図８に示すように、第１保持凹部４６が保持凸部２７に係止すると、リテーナ４０は仮係止位置に保持される。このとき、図１０に示すように、各係止突部４２がキャビティ１９から退避して隔壁２２と同じ位置に配されることで、キャビティ１９内への端子金具１３の挿抜が許容されるとともに、図１１に示すように、リテーナ４０の差込方向手前側端部が保持部材５０の側面から図示右側に突出して配される。
【００１６】
一方、リテーナ４０が奥側に移動して、図１３に示すように、第２保持凹部４７が保持凸部２７に係止すると、リテーナ４０は本係止位置に保持される。このとき、図１４に示すように、各係止突部４２がキャビティ１９内に突入して端子金具１３の接続部１４の後端に形成されたあご部１８に係止されるとともに、図１６に示すように、リテーナ４０の差込方向手前側側面が後記する保持部材５０の側面とほぼ面一になる。また、上記した係止突部４２の幅寸法は、隔壁２２の幅寸法よりも僅かに小さい程度であり、端子金具１３のあご部１８のほぼ全幅にわたって係止されるようになっている。この本係止位置では、図１５に示すように、取外操作片部４４と傾斜面３５との間に所定幅の隙間が確保されており、ここにリテーナ４０を取外方向へ移動操作するための治具Ｊが前方から挿入可能とされている（図１９）。この治具Ｊは、図１８に示すように、マイナスドライバーのような工具であって、作業者が把持するための把持部Ｊａから細長い軸部Ｊｂが突設された構成とされ、その軸部Ｊｂが先細り状に形成されている。
【００１７】
保持部材５０は、合成樹脂製とされ、図６に示すように、略長円形状の前壁５１を備えるとともに、前壁５１からは略筒状の保持板５２が後方へ突出して設けられている。保持板５２は、図４に示すように、端子収容部１１の外周面に嵌合可能とされるとともに、その内面に上下に一対ずつ設けられた保持突部５３が端子収容部１１に凹設された保持溝部２９に係止されることで、保持部材５０が端子収容部１１に一体的に組み付けられた状態に保持されるようになっている。このとき、保持板５２がゴムリング３０の前端面に係合可能とされることで、ゴムリング３０の抜け止めが図られるようになっている（図９参照）。保持板５２の上部における図６の右端部内面には、端子収容部１１の型抜き孔２８内に進入可能な膨出部５４が設けられている（図１１参照）。保持板５２における図６の左端部には、リテーナ取付孔２６及びリテーナ挿通孔３３に連通する連通部５５が側方へ開口して設けられている。この連通部５５の前方には、図１２に示すように、本係止位置とされたリテーナ４０の取外操作片部４４を前方外部へ臨ませるとともに、取外操作片部４４を操作するための治具Ｊを挿通可能な治具挿通凹部５６が前壁５１を凹ませて設けられている。詳しくは、治具挿通凹部５６は、図２及び図１２に示すように、傾斜面３５及び取外操作片部４４と高さ方向について重なる位置に配設されるとともに、その周面のうち上面５６ａと下面５６ｂに治具Ｊが摺接されることで、治具Ｊを傾斜面３５及び取外操作片部４４に対して高さ方向（治具Ｊの挿入方向と交差する方向）について位置決めできるようになっている（図１８）。この治具挿通凹部５６の側面５６ｃは、図１５に示すように、端子収容部１１のうち傾斜面３５を有する外側面とほぼ面一状をなしているので、治具Ｊを傾斜面３５に対して幅方向（治具Ｊの挿入方向と交差する方向）について位置決めできるようになっている（図１７）。また、保持板５２のうち連通部５５の反対側（図６の右側）には、図１３に示すように、リテーナ４０が本係止位置に移動される際に、基部４１の先端部を逃がすための逃がし凹部６２が設けられている。
【００１８】
前壁５１には、図３及び図４に示すように、端子収容部１１から前方へ突き出す各端子金具１３の前端部が嵌合可能とされる嵌合凹部５７がキャビティ１９間のピッチに合わせた位置に５つ並んで設けられている。端子金具１３の前端部は、嵌合凹部５７によって支持されることで上下方向、幅方向及び前方へ遊動不能に保持される。図６に示すように、前壁５１のうち嵌合凹部５７の中央位置には、相手側の雄コネクタの雄端子金具を挿通可能な挿通孔５８が貫通して形成されている。前壁５１には、嵌合凹部５７のうち図６の右上部分に連通する治具挿入孔５９が前後に貫通して形成されている。この治具挿入孔５９は、図７に示すように、ランス２０の解除操作片２４が前方外部へ臨むような位置に形成されるとともに、前方から解除操作片２４を操作するための治具が挿入可能とされている。この治具挿入孔５９は、上記挿通孔５８に対して斜めにずれた位置に配されているから、両コネクタの嵌合時に相手側の雄コネクタが上下方向または幅方向について傾いた姿勢とされた場合でも、雄端子金具が誤って治具挿入孔５９内に入り難くなっている。
【００１９】
図６に示すように、前壁５１の後面のうち、治具挿入孔５９の図６の右隣で、且つ嵌合凹部５７の左隣の位置には、それぞれ４本の仕切り壁６０が後方へ突出して設けられている。これらの仕切り壁６０は、保持部材５０を端子収容部１１に組み付けるのに伴って、図１１に示すように、各切欠部２３内に挿入可能とされている。仕切り壁６０は、図１０に示すように、その後端部が切欠部２３の奥端面に当接する位置（ランス２０の根元位置）まで挿入されることで、切欠部２３を全域にわたって塞ぐ。この仕切り壁６０により、隣り合うキャビティ１９内に挿入される端子金具１３が互いに絶縁状態に隔離されるとともに、仕切り壁６０の側面がキャビティ１９の側面の一部を構成する。この仕切り壁６０の幅寸法は、隔壁２２（切欠部２３）の半分程度とされており、仕切り壁６０とランス２０または解除操作片２４との間には、ランス２０の弾性変形動作を阻害しない程度の最低限の隙間が確保されている。詳しくは、仕切り壁６０の図示左側面は、嵌合凹部５７及びキャビティ１９の内側面に対して僅かに引っ込んで形成されている。
【００２０】
仕切り壁６０の上下端部には、図１１に示すように、上下に突出する略三角形の位置決め突部６１が形成されており、その位置決め突部６１が、切欠部２３に形成された略Ｖ字型の位置決め溝２５内に嵌合されることで、仕切り壁６０が幅方向にずれることなく正規位置に位置決めされるようになっている。詳しくは、仕切り壁６０の上下面における図１１の左端には、右側の位置決め突部６１へとつながる水平部分が僅かに確保されており、この水平部分が切欠部２３の上下面に当接可能とされている。
【００２１】
続いて、雌コネクタの組み付け方法について説明する。まず、ハウジング本体１０の端子収容部１１の外周面にゴムリング３０を嵌着した後、その前方から保持部材５０を端子収容部１１に組み付ける。すると保持板５２の内周面が端子収容部１１の外周面に嵌合されるとともに、図９に示すように、保持突部５３がテーパ面に乗り上げた後に保持溝部２９内に進入してその前端面が保持溝部２９の前端面に係止されることで、保持部材５０が端子収容部１１に対して一体的に保持される。このとき、保持板５２の後端面がゴムリング３０の前端面に対して係合可能とされることで、ゴムリング３０の前方への抜け止めが図られる。この過程では、図１０及び図１１に示すように、各仕切り壁６０が各切欠部２３内に差し込まれるのに伴って、上下の位置決め突部６１が対応する位置決め溝２５内に進入されることで幅方向について位置決めされるから、仕切り壁６０がランス２０や解除操作片２４に干渉することなく円滑に切欠部２３に挿入される。仕切り壁６０は、その後端面が切欠部２３の奥端面に当接される深さ、つまりランス２０の根元に至る長さにわたって挿入されることで、隣り合うキャビティ１９間を仕切るとともにその側面がキャビティ１９の側面を構成する。また、このとき保持部材５０の前端面とハウジング本体１０の前端面とが面一状となる。
【００２２】
その一方で、ハウジング本体１０の側方からリテーナ４０を、フード部１２のリテーナ挿通孔３３を通して、端子収容部１１のリテーナ取付孔２６内に差し込む。図８に示すように、基部４１が第１保持凹部４６が保持凸部２７に係止する深さまで差し込まれたところで、リテーナ４０は仮係止位置に保持される。このとき、図７に示すように、リテーナ４０における差込方向手前側端部が幅方向について保持部材５０とフード部１２との間に配されることで前方から視認可能とされる。なお、これら保持部材５０とリテーナ４０の取り付け作業は、どちらが先であっても構わない。
【００２３】
続いて、キャビティ１９内に端子金具１３を挿入すると、途中で接続部１４がランス２０を押圧することでランス２０が上方の撓み空間２１内へ一旦弾性変形され、端子金具１３が正規深さに至ると、図９に示すように、ランス２０が弾性復帰して被係止部１７に係止されることで端子金具１３が一次係止される。このとき、図９及び図１０に示すように、端子金具１３の前端部が保持部材５０の嵌合凹部５７内に嵌合されることで、端子金具１３が前止まり状態に支持される。収容された端子金具１３は、仕切り壁６０によって切欠部２３が塞がれていることで、隣り合うキャビティ１９内の端子金具１３に対して絶縁状態に隔離される。全ての端子金具１３をキャビティ１９内に挿入したら、リテーナ４０を本係止位置へと移動させる。その際には、側方からリテーナ挿通孔３３を通した治具によってリテーナ４０の取付操作突部４３を押圧することで、リテーナ４０を奥側へ押し込み、図１３に示すように、第１保持凹部４６が保持凸部２７から抜け出した後、第２保持凹部４７が保持凸部２７に係止されることで、リテーナ４０は本係止位置に保持される。すると、図１４及び図１５に示すように、リテーナ４０の係止突部４２がキャビティ１９内に突入して、あご部１８に係止されることで端子金具１３が二次係止される。
【００２４】
リテーナ４０が仮係止位置から本係止位置へと移動する過程では、図１２に示すように、リテーナ４０の差込方向手前側端部のうち取外操作片部４４を除いた部分が次第に保持部材５０に隠れて前方から視認できなくなることで、リテーナ４０が本係止位置に至ったことが検知される。このとき、リテーナ４０の差込方向手前側側面が保持部材５０の側面とほぼ面一に配される。
【００２５】
一方、メンテナンスなどの事情により端子金具１３を取り外す場合には、図１７に示すように、フード部１２内に前方から治具Ｊを挿入してその治具Ｊによりリテーナ４０を本係止位置から仮係止位置へ移動させる作業を行う。詳しくは、まず治具Ｊの軸部Ｊｂを保持部材５０の治具挿通凹部５６内に進入させつつ後方へと突っ込んで傾斜面３５と取外操作片部４４との間に挿入する。この過程では、図１８に示すように、軸部Ｊｂが治具挿通凹部５６の上面５６ａと下面５６ｂと側面５６ｃとに摺接されることで、高さ方向及び幅方向について傾斜面３５と取外操作片部４４とに対して位置合わせされるので、軸部Ｊｂの先端部を傾斜面３５と取外操作片部４４との間に確実に挿入することができる。この挿入時には軸部Ｊｂは、先に取外操作片部４４よりも前方に配された傾斜面３５の緩斜面部３５ａに当接されることで、緩斜面部３５ａの傾斜に沿って図示右側に傾いた斜め姿勢に案内され、その後、図１９に示すように、取外操作片部４４に対しても当接される。
【００２６】
そして、斜め姿勢とされた治具Ｊを、傾斜面３５との当接部分を支点として図示左方（リテーナ４０の取外方向と反対方向）へと傾動操作して取外操作片部４４を押圧する。するとてこ作用が発揮されてリテーナ４０が図示右方の仮係止位置側（リテーナ４０の取外方向）へ移動される。治具Ｊを傾動させる初期の段階では、力点である把持部Ｊａと支点である傾斜面３５との距離に比べて、支点である傾斜面３５と作用点である取外操作片部４４との距離の方が非常に小さくなっているので、治具Ｊに付与すべき操作力を極めて低く抑えることができる。傾動過程において治具Ｊが前後方向に沿った真っ直ぐな姿勢に達するのに伴って、支点が保持部材５０の前端部へと移動することになるものの、それまでの慣性力によって治具Ｊが助勢されているので、低い操作力でもって治具Ｊを傾動させることができる。またこの傾動過程では、軸部Ｊｂが治具挿通凹部５６の周面に摺接されることで、治具Ｊはがたつきなくスムーズに傾動される。そして、治具Ｊを左側に傾くまで傾動させると、図２０及び図２１に示すように、リテーナ４０が仮係止位置まで移動されるとともに各係止突部４２の各端子金具１３のあご部１８に対する係止状態が解除される。
【００２７】
その後、保持部材５０の治具挿入孔５９に対して上記とは別の治具を前方から挿入するとともに、治具挿入孔５９に臨んだランス２０の解除操作片２４を治具によって押圧操作することで、ランス２０を端子金具１３の被係止部１７との係止状態を解除しつつ強制的に弾性変形させてから、端子金具１３をキャビティ１９から引き抜くようにする。
【００２８】
以上説明したように本実施形態によれば、端子金具１３の取り外し時に治具Ｊを傾斜面３５を支点として傾動操作して取外操作片部４４を押圧することで発揮されるてこ作用を利用してリテーナ４０を本係止位置から仮係止位置へと移動させるようにしたから、治具Ｊに付与すべき操作力を低く抑えることができる。しかも、斜め姿勢の治具Ｊを傾斜面３５を支点として傾動操作することで取外操作片部４４を押圧するようにしたから、例えば、前後方向に沿った真っ直ぐな姿勢の治具を保持部材の前端部を支点として傾動操作した場合と比較して、支点と作用点との距離を短く、力点と支点との距離を長くすることができ、治具Ｊに付与すべき操作力を一層低く抑えることができる。これにより、リテーナ４０の移動操作性を向上させることができる。
【００２９】
さらには、保持部材５０に治具挿通凹部５６を設けるようにしたから、治具Ｊを傾斜面３５に当接する前の段階で治具Ｊの挿入方向と交差する方向について位置決めすることができる。従って、治具Ｊを傾斜面３５に確実に当接させることができ、もってリテーナ４０の移動操作性を一層向上させることができる。
しかも、傾斜面３５を取外操作片部４４よりも前方位置からリテーナ取付孔２６へ向かって内方へ傾斜するように設けるようにしたから、治具Ｊを挿入する際には、先に傾斜面３５に治具Ｊを当接させて斜め姿勢へと案内しつつ取外操作片部４４との間に挿入することができるから、操作性が良好となる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態の変形例として、図２２に示すように、仕切り壁６０の後端部に後方へ突出する山部７０を形成するとともに、切欠部２４の奥端面に山部７０を受け入れる谷部７１を凹み形成するようにしてもよい。
【００３１】
（２）上記した実施形態では、治具の軸部を傾斜面のうち緩斜面部に当接させる場合を示したが、例えばさらに細い軸部を有する治具を用いるとともにその軸部を傾斜面のうち急斜面部に当接させるようにしてもよい。その場合は、傾動操作をする前の状態で治具をより大きく傾けることができるので、傾動操作時に治具が前後方向に沿った真っ直ぐな姿勢に至るまでの傾動範囲を大きくすることができ、操作性の一層の向上に寄与することができる。
（３）上記した実施形態では、リテーナの取付位置として仮係止位置が設定されたものを示したが、この仮係止位置を省略したものについても本発明は適用可能である。
（４）上記した実施形態では、保持部材が端子収容部に組み付けられるものを示したが、保持部材を有さないコネクタについても本発明は適用可能である。
（５）上記した実施形態では、雌コネクタについて示したが、雄コネクタについても本発明を適用することができる。
【図面の簡単な説明】
【図１】本発明の一実施形態に係るハウジング本体、保持部材及びリテーナの正面図
【図２】ハウジング本体、保持部材及びリテーナの側面図
【図３】雌コネクタを分解した状態を示す図１のＡ−Ａ線断面図
【図４】雌コネクタを分解した状態を示す図１のＢ−Ｂ線断面図
【図５】ハウジング本体とリテーナの図１のＣ−Ｃ線断面図
【図６】保持部材の背面図
【図７】保持部材を装着したハウジング本体にリテーナを仮係止位置に取り付けた状態を示す正面図
【図８】図７のＣ−Ｃ線断面図
【図９】図７のＢ−Ｂ線断面図
【図１０】図７のＡ−Ａ線断面図
【図１１】図１０のＤ−Ｄ線断面図
【図１２】リテーナを本係止位置に移動した状態を示す正面図
【図１３】図１２のＣ−Ｃ線断面図
【図１４】図１２のＢ−Ｂ線断面図
【図１５】図１２のＡ−Ａ線断面図
【図１６】図１５のＤ−Ｄ線断面図
【図１７】治具を挿入する前の状態を示す図１２のＡ−Ａ線断面図
【図１８】治具を挿入する途中の状態の雌コネクタの斜視図
【図１９】治具を挿入して傾斜面及び取外操作片部に当接させた状態を示す図１２のＡ−Ａ線断面図
【図２０】治具によりリテーナを仮係止位置に移動させた状態を示す図７のＡ−Ａ線断面図
【図２１】治具によりリテーナを仮係止位置に移動させた状態の雌コネクタの斜視図
【図２２】変形例の拡大平断面図
【図２３】従来例の断面図
【符号の説明】
１０…ハウジング本体（コネクタハウジング）
１１…端子収容部
１２…フード部
１３…端子金具
２６…リテーナ取付孔
３３…リテーナ挿通孔
３５…傾斜面
４０…リテーナ
４４…取外操作片部（操作部）
５０…保持部材
５１…前壁（前止まり壁）
５６…治具挿通凹部（位置決め凹部）
Ｊ…治具
【図１】
0003812732.tif 000002
【図２】
0003812732.tif 000003
【図３】
0003812732.tif 000004
【図４】
0003812732.tif 000005
【図５】
0003812732.tif 000006
【図６】
0003812732.tif 000007
【図７】
0003812732.tif 000008
【図８】
0003812732.tif 000009
【図９】
0003812732.tif 000010
【図１０】
0003812732.tif 000011
【図１１】
0003812732.tif 000012
【図１２】
0003812732.tif 000013
【図１３】
0003812732.tif 000014
【図１４】
0003812732.tif 000015
【図１５】
0003812732.tif 000016
【図１６】
0003812732.tif 000017
【図１７】
0003812732.tif 000018
【図１８】
0003812732.tif 000019
【図１９】
0003812732.tif 000020
【図２０】
0003812732.tif 000021
【図２１】
0003812732.tif 000022
【図２２】
0003812732.tif 000023
【図２３】
0003812732.tif 000024